(57)【要約】【課題】一対の電圧極および一の中性極からの配線ケーブルの接続を容易にする。【解決手段】２００Ｖ用３極プラグの各接触子挿入口として、一対の電圧極に対応する一対の接触子挿入口３１１，３１２および一の中性極に対応する接触子挿入口３１３をカバー３に形成し、一対の電圧極および一の中性極からの配線ケーブルＣ１の各電線挿入口として、一対の電圧極に対応する一対の電線挿入口２１１，２１２および一の中性極に対応する電線挿入口２１３をボディ２Ａに形成して、電線挿入口２１１〜２１３を、配線ケーブルＣ１の各電線の配列に対応するように、ボディ２Ａの背面中央左部にまとめて並設した。【選択図】  図１
2004259560.tif 000002
【特許請求の範囲】
【請求項１】
一対の電圧極および一の中性極を持つ単相３線に配線され、取付枠を介して壁に埋設される単相３線配線１００Ｖ・２００Ｖ共用コンセントであって、
前記取付枠に取着されるハウジングを、前方に開口を有する箱状のボディと、このボディの開口を閉塞する形状に形成されたカバーとにより構成し、
２００Ｖ用３極プラグの各接触子挿入口として、前記一対の電圧極に対応する一対の第１電圧極接触子挿入口および前記一の中性極に対応する第１中性極接触子挿入口を前記カバーに形成するとともに、１００Ｖ用プラグの各接触子挿入口として、少なくとも、前記一対の電圧極の一方に対応する第２電圧極接触子挿入口および前記一の中性極に対応する第２中性極接触子挿入口を前記カバーに形成し、
前記一対の電圧極および前記一の中性極からの第１配線ケーブルの各電線挿入口として、前記一対の電圧極に対応する一対の第１電圧極電線挿入口および前記一の中性極に対応する第１中性極電線挿入口を前記ボディに形成するとともに、前記一対の電圧極の一方および前記一の中性極からの第２配線ケーブルの各電線挿入口として、少なくとも、前記一対の電圧極の一方に対応する第２電圧極電線挿入口および前記一の中性極に対応する第２中性極電線挿入口を前記ボディに形成し、
前記一対の第１電圧極電線挿入口および前記第１中性極電線挿入口を、前記第１配線ケーブルの各電線の配列に対応するように、前記ボディの１箇所にまとめて並設して成る
ことを特徴とする単相３線配線１００Ｖ・２００Ｖ共用コンセント。
【請求項２】
前記第１配線ケーブルは平行ケーブルであり、前記一対の第１電圧極電線挿入口および前記第１中性極電線挿入口が一の直線上に並設されていることを特徴とする請求項１記載の単相３線配線１００Ｖ・２００Ｖ共用コンセント。
【請求項３】
前記第１配線ケーブルの各電線の絶縁被覆には、互いに異なる色が着色され、前記ボディにおける前記一対の第１電圧極電線挿入口および前記第１中性極電線挿入口の各々に対して、前記第１配線ケーブルの対応する電線の絶縁被覆の色を示す表示を設けて成ることを特徴とする請求項１または２記載の単相３線配線１００Ｖ・２００Ｖ共用コンセント。
【請求項４】
前記一対の第１電圧極電線挿入口および前記第１中性極電線挿入口のうち、２つの電線挿入口と１つの電線挿入口とに解除釦を別々に設けて成ることを特徴とする請求項１から３のいずれかに記載の単相３線配線１００Ｖ・２００Ｖ共用コンセント。
【発明の詳細な説明】
【発明の属する技術分野】
本発明は、一対の電圧極および一の中性極を持つ単相３線に配線され、取付枠を介して壁に埋設される単相３線配線１００Ｖ・２００Ｖ共用コンセントに関するものである。
【従来の技術】
図２に取付枠に取着された従来のコンセントの正面図（ａ）、右側面図（ｂ）および背面図（ｃ）を示す（特許文献１参照）。
図２に示すコンセント１は、一対の電圧極および一の中性極を持つ図示しない商用電源の単相３線に配線され、１個モジュール寸法の配線器具を３個分取付可能な取付枠９を介して、壁に埋設される単相３線配線１００Ｖ・２００Ｖ共用コンセントである。
取付枠９に取着される例えば絶縁樹脂製のハウジングは、前方に開口を有する箱状のボディ２と、このボディ２の開口を閉塞する箱状に形成されたカバー３とにより構成される。
カバー３の正面上部には、２００Ｖ用３極プラグ（図示せず）の各接触子挿入口として、一対の電圧極に対応する一対の接触子挿入口３１１，３１２および一の中性極に対応する接触子挿入口３１３が形成されている。一方、カバー３の正面下部には、１００Ｖ用３極プラグ（図示せす）の各接触子挿入口として、一対の電圧極の一方に対応する接触子挿入口３２１、一の中性極に対応する接触子挿入口３２３および接地極に対応する接触子挿入口３２０が形成されている。
接触子挿入口３１１，３１２，３２１，３２３は、挿入される接触子が通常栓刃であるので、栓刃に対応する例えば細長い矩形状に形成される。一方、接触子挿入口３１３，３２０は、挿入される接触子が通常ピン状であるので、そのピン状の接触子に対応する例えば半円状に形成される。
また、接触子挿入口３１１〜３１３のうち、接触子挿入口３１１，３１２は、Ｔ字の頭部両端に位置してその頭部と平行になるように配置され、接触子挿入口３１３は、Ｔ字の足部先端側に位置するように配置される。一方、接触子挿入口３２１，３２３，３２０のうち、接触子挿入口３２１，３２３は、Ｔ字の頭部両端に位置してその頭部と直交して互いに平行になるように配置され、接触子挿入口３２０は、Ｔ字の足部先端側に位置するように配置される。
ボディ２には、一対の電圧極および一の中性極からの配線ケーブルの各電線挿入口として、複数の電線挿入口２１が形成されるが、接触子挿入口３２１，３２３，３２０に接地極付きの１００Ｖ用３極プラグが接続される構成になっていることから、それら複数の電線挿入口２１には、接地極からの電線に対する電線挿入口も含まれることになる。
これらの各電線挿入口２１直下のハウジング内には、その電線挿入口２１に挿入された電線の導体線と電気的に接続する図略の速結端子が収容され、この速結端子による導体線の接続を解除するための解除釦５がその電線挿入口２１近傍に設けられる。そして、速結端子は、導電部材を介して、カバー３における各接触子挿入口のうち対応する接触子挿入口直下のハウジング内に収容された図略の刃受けばねと電気的に接続される。
これにより、接触子挿入口３１１，３１２直下の刃受けばねは、それぞれ一対の電圧極からの電線の導体線と接続された速結端子と接続され、接触子挿入口３１３直下の刃受けばねは、中性極からの電線の導体線と接続された速結端子と接続される。一方、接触子挿入口３２１直下の刃受けばねは、一対の電圧極の一方からの電線の導体線と接続された速結端子と接続され、接触子挿入口３２３直下の刃受けばねは、中性極からの電線の導体線と接続された速結端子と接続され、接触子挿入口３２０直下の刃受けばねは、接地極からの電線の導体線と接続された速結端子と接続される。なお、接地極からの電線は、例えばアース棒から分電盤を介してあるいはアース棒から直接配線される。
なお、特許文献２には、図３に示すように、鎖状ばね４０および端子板４１により構成される速結端子と、この速結端子による導体線の接続を解除するための解除釦５と、導電部材６を介して速結端子と電気的に接続される刃受けばね７とを、ボディ２ＰＡおよびカバー３ＰＡにより構成されるハウジング内に収容したコンセントが開示されている。図３の例では、端子板４１および刃受けばね７が導電部材６と一体となって刃受けばねブロックを形成している。また、ボディ２ＰＡおよびカバー３ＰＡは、これらの各凸部が取付枠９Ａの各突出片９１の孔に嵌入することにより固定されるようになっている。
【特許文献１】
意匠登録第０８０７７３３号公報
【特許文献２】
特開平１１−１３５１９７号公報
【発明が解決しようとする課題】
しかしながら、図２のコンセントでは、各電線挿入口が２個単位で３組設けられ、それら３組がそれぞれ別々の箇所に配置されるため、一対の電圧極および一の中性極からの配線ケーブルを接続するのが手間であった。つまり、配線ケーブルの各電線を、対応する電線挿入口に挿入することができるように、配線ケーブルのシースを適当な長さ除去し、なおかつ各電線の長さを調整して絶縁被覆を所定長除去し、各電線を対応する電線挿入口に別々に挿入しなければならない。
本発明は、上記事情に鑑みてなされたものであり、一対の電圧極および一の中性極からの配線ケーブルの接続が容易となる単相３線配線１００Ｖ・２００Ｖ共用コンセントを提供することを目的とする。
【課題を解決するための手段】
上記課題を解決するための請求項１記載の発明は、一対の電圧極および一の中性極を持つ単相３線に配線され、取付枠を介して壁に埋設される単相３線配線１００Ｖ・２００Ｖ共用コンセントであって、前記取付枠に取着されるハウジングを、前方に開口を有する箱状のボディと、このボディの開口を閉塞する形状に形成されたカバーとにより構成し、２００Ｖ用３極プラグの各接触子挿入口として、前記一対の電圧極に対応する一対の第１電圧極接触子挿入口および前記一の中性極に対応する第１中性極接触子挿入口を前記カバーに形成するとともに、１００Ｖ用プラグの各接触子挿入口として、少なくとも、前記一対の電圧極の一方に対応する第２電圧極接触子挿入口および前記一の中性極に対応する第２中性極接触子挿入口を前記カバーに形成し、前記一対の電圧極および前記一の中性極からの第１配線ケーブルの各電線挿入口として、前記一対の電圧極に対応する一対の第１電圧極電線挿入口および前記一の中性極に対応する第１中性極電線挿入口を前記ボディに形成するとともに、前記一対の電圧極の一方および前記一の中性極からの第２配線ケーブルの各電線挿入口として、少なくとも、前記一対の電圧極の一方に対応する第２電圧極電線挿入口および前記一の中性極に対応する第２中性極電線挿入口を前記ボディに形成し、前記一対の第１電圧極電線挿入口および前記第１中性極電線挿入口を、前記第１配線ケーブルの各電線の配列に対応するように、前記ボディの１箇所にまとめて並設して成ることを特徴とする。
請求項２記載の発明は、請求項１記載の単相３線配線１００Ｖ・２００Ｖ共用コンセントにおいて、前記第１配線ケーブルは平行ケーブルであり、前記一対の第１電圧極電線挿入口および前記第１中性極電線挿入口が一の直線上に並設されていることを特徴とする。
請求項３記載の発明は、請求項１または２記載の単相３線配線１００Ｖ・２００Ｖ共用コンセントにおいて、前記第１配線ケーブルの各電線の絶縁被覆には、互いに異なる色が着色され、前記ボディにおける前記一対の第１電圧極電線挿入口および前記第１中性極電線挿入口の各々に対して、前記第１配線ケーブルの対応する電線の絶縁被覆の色を示す表示を設けて成ることを特徴とする。
請求項４記載の発明は、請求項１から３のいずれかに記載の単相３線配線１００Ｖ・２００Ｖ共用コンセントにおいて、前記一対の第１電圧極電線挿入口および前記第１中性極電線挿入口のうち、２つの電線挿入口と１つの電線挿入口とに解除釦を別々に設けて成ることを特徴とする。
【発明の実施の形態】
図１は本発明による一実施形態の単相３線配線１００Ｖ・２００Ｖ共用コンセントを取付枠に取着した状態での、正面図（ａ）、右側面図（ｂ）および背面図（ｃ）である。
本実施形態のコンセント１Ａは、一対の電圧極および一の中性極を持つ図示しない商用電源の単相３線に配線され、１個モジュール寸法の配線器具を３個分取付可能な取付枠９Ａを介して、壁に埋設される単相３線配線１００Ｖ・２００Ｖ共用コンセントである。
取付枠９Ａに取着される例えば絶縁樹脂製のハウジングは、前方に開口を有する箱状のボディ２Ａと、このボディ２Ａの開口を閉塞する箱状に形成されたカバー３とにより構成される。
カバー３の正面上部には、２００Ｖ用３極プラグ（図示せず）の各接触子挿入口として、一対の電圧極に対応する一対の接触子挿入口３１１，３１２および一の中性極に対応する接触子挿入口３１３が形成されている。一方、カバー３の正面下部には、１００Ｖ用３極プラグ（図示せす）の各接触子挿入口として、一対の電圧極の一方に対応する接触子挿入口３２１、一の中性極に対応する接触子挿入口３２３および接地極に対応する接触子挿入口３２０が形成されている。
接触子挿入口３１１，３１２，３２１，３２３は、挿入される接触子が通常栓刃であるので、栓刃に対応する例えば細長い矩形状に形成される。一方、接触子挿入口３１３，３２０は、挿入される接触子が通常ピン状であるので、そのピン状の接触子に対応する例えば半円状に形成される。
また、接触子挿入口３１１〜３１３のうち、接触子挿入口３１１，３１２は、Ｔ字の頭部両端に位置してその頭部と平行になるように配置され、接触子挿入口３１３は、Ｔ字の足部先端側に位置するように配置される。一方、接触子挿入口３２１，３２３，３２０のうち、接触子挿入口３２１，３２３は、Ｔ字の頭部両端に位置してその頭部と直交して互いに平行になるように配置され、接触子挿入口３２０は、Ｔ字の足部先端側に位置するように配置される。
ボディ２Ａの背面中央左部には、一対の電圧極および一の中性極からの配線ケーブルＣ１の各電線挿入口として、一対の電圧極に対応する一対の電線挿入口２１１，２１２および一の中性極に対応する電線挿入口２１３が形成されている。一方、ボディ２Ａの背面中央右部には、一対の電圧極の一方および一の中性極からの配線ケーブルＣ２の各電線挿入口として、一対の電圧極の一方に対応する電線挿入口２２１および一の中性極に対応する電線挿入口２２３が形成されているとともに、接地極からの電線Ｃ０の電線挿入口２２０が一対形成されている。
これらの各電線挿入口直下のハウジング内には、その電線挿入口に挿入された電線の導体線と電気的に接続する図略の速結端子が収容され、この速結端子による導体線の接続を解除するための解除釦５がその電線挿入口近傍に設けられる。そして、速結端子は、導電部材を介して、カバー３における各接触子挿入口のうち対応する接触子挿入口直下のハウジング内に収容された図略の刃受けばねと電気的に接続される。
これにより、接触子挿入口３１１，３１２直下の刃受けばねは、それぞれ電線挿入口２１１，２１２直下の速結端子と接続され、接触子挿入口３１３直下の刃受けばねは、電線挿入口２１３直下の速結端子と接続される。一方、接触子挿入口３２１直下の刃受けばねは、電線挿入口２２１直下の速結端子と接続され、接触子挿入口３２３直下の刃受けばねは、電線挿入口２２３直下の速結端子と接続され、接触子挿入口３２０直下の刃受けばねは、電線挿入口２２０，２２０直下の速結端子と接続される。
このように構成されるコンセント１Ａにおいて、本実施形態の第１の特徴として、電線挿入口２１１〜２１３が、配線ケーブルＣ１の各電線の配列に対応するように、ボディ２Ａの背面中央左部にまとめて並設される。より具体的には、図１（ｃ）に示すように、配線ケーブルＣ１は平行ケーブル（フラットケーブル）であり、電線挿入口２１１〜２１３が一の直線上に並設される。
この第１の特徴により、配線ケーブルＣ１のシースＣ１０を適当な長さ除去し、電線Ｃ１１〜Ｃ１３の絶縁被覆をそれぞれ所定長除去するだけで、配線ケーブルＣ１の電線Ｃ１１〜Ｃ１３をそれぞれ電線挿入口２１１〜２１３に一括して挿入することができるから、一対の電圧極および一の中性極からの配線ケーブルＣ１の接続が極めて容易となる。
また、第２の特徴として、配線ケーブルＣ１の各電線の絶縁被覆には、互いに異なる色が着色され、ボディ２Ａにおける電線挿入口２１１〜２１３の各々に対して、配線ケーブルＣ１の対応する電線の絶縁被覆の色を示す表示がなされている。より具体的には、電線Ｃ１１，Ｃ１２，Ｃ１３の絶縁被覆の色は、それぞれ黒色、赤色、白色であり、ボディ２Ａにおける電線挿入口２１１，２１２，２１３に対して、それぞれ「黒」、「赤」、「白」の文字が印字または刻印されている。
同様に、配線ケーブルＣ２の各電線の絶縁被覆にも、互いに異なる色が着色され、ボディ２Ａにおける電線挿入口２２１，２２３の各々に対して、配線ケーブルＣ２の対応する電線の絶縁被覆の色を示す表示がなされている。具体的には、電線Ｃ２１，Ｃ２３の絶縁被覆の色は、それぞれ黒色、白色であり、ボディ２Ａにおける電線挿入口２２１，２２３に対して、それぞれ「黒」、「白」の文字が印字または刻印されている。
この第２の特徴により、各電線挿入口への各電線の誤結線を防止することができる。なお、文字に限らず、例えば対応する色を各電線挿入口に着色するようにしてもよい。
さらに、第３の特徴として、電線挿入口２１１〜２１３のうち、２つの電線挿入口と１つの電線挿入口とに解除釦５を別々に設けてある。例えば、電線挿入口２１１，２１３と電線挿入口２１２とに解除釦５が別々に設けられる。これにより、電線挿入口２１１〜２１３の各々に対して解除釦５を個々に設ける構成に比べ、各電線挿入口を一箇所にまとめて並設しやすくなる。
なお、本実施形態では、電線挿入口２１１〜２１３が、ボディ２Ａの背面中央左部にまとめて並設される構成になっているが、これに限らず、ボディ２Ａの背面の別の箇所にまとめて並設される構成でもよいことは言うまでもない。また、電線挿入口２２０，２２１，２２３についても同様である。
【発明の効果】
以上のことから明らかなように、請求項１記載の発明は、一対の電圧極および一の中性極を持つ単相３線に配線され、取付枠を介して壁に埋設される単相３線配線１００Ｖ・２００Ｖ共用コンセントであって、前記取付枠に取着されるハウジングを、前方に開口を有する箱状のボディと、このボディの開口を閉塞する形状に形成されたカバーとにより構成し、２００Ｖ用３極プラグの各接触子挿入口として、前記一対の電圧極に対応する一対の第１電圧極接触子挿入口および前記一の中性極に対応する第１中性極接触子挿入口を前記カバーに形成するとともに、１００Ｖ用プラグの各接触子挿入口として、少なくとも、前記一対の電圧極の一方に対応する第２電圧極接触子挿入口および前記一の中性極に対応する第２中性極接触子挿入口を前記カバーに形成し、前記一対の電圧極および前記一の中性極からの第１配線ケーブルの各電線挿入口として、前記一対の電圧極に対応する一対の第１電圧極電線挿入口および前記一の中性極に対応する第１中性極電線挿入口を前記ボディに形成するとともに、前記一対の電圧極の一方および前記一の中性極からの第２配線ケーブルの各電線挿入口として、少なくとも、前記一対の電圧極の一方に対応する第２電圧極電線挿入口および前記一の中性極に対応する第２中性極電線挿入口を前記ボディに形成し、前記一対の第１電圧極電線挿入口および前記第１中性極電線挿入口を、前記第１配線ケーブルの各電線の配列に対応するように、前記ボディの１箇所にまとめて並設して成るので、例えば、第１配線ケーブルのシースを適当な長さ除去し、各電線の絶縁被覆をそれぞれ所定長除去するだけで、第１配線ケーブルの各電線を、一対の第１電圧極電線挿入口および第１中性極電線挿入口に一括して挿入することができるから、一対の電圧極および一の中性極からの第１配線ケーブルの接続が容易となる。
請求項２記載の発明は、請求項１記載の単相３線配線１００Ｖ・２００Ｖ共用コンセントにおいて、前記第１配線ケーブルは平行ケーブルであり、前記一対の第１電圧極電線挿入口および前記第１中性極電線挿入口が一の直線上に並設されているのであり、この構成でも、第１配線ケーブルの接続が容易となる。
請求項３記載の発明は、請求項１または２記載の単相３線配線１００Ｖ・２００Ｖ共用コンセントにおいて、前記第１配線ケーブルの各電線の絶縁被覆には、互いに異なる色が着色され、前記ボディにおける前記一対の第１電圧極電線挿入口および前記第１中性極電線挿入口の各々に対して、前記第１配線ケーブルの対応する電線の絶縁被覆の色を示す表示を設けて成るので、一対の第１電圧極電線挿入口および第１中性極電線挿入口の各々への各電線の誤結線を防止することができる。
請求項４記載の発明は、請求項１から３のいずれかに記載の単相３線配線１００Ｖ・２００Ｖ共用コンセントにおいて、前記一対の第１電圧極電線挿入口および前記第１中性極電線挿入口のうち、２つの電線挿入口と１つの電線挿入口とに解除釦を別々に設けて成るので、一対の第１電圧極電線挿入口および第１中性極電線挿入口の各々に対して解除釦を個々に設ける構成に比べ、各電線挿入口を一箇所にまとめて並設しやすくなる。
【図面の簡単な説明】
【図１】本発明による一実施形態の単相３線配線１００Ｖ・２００Ｖ共用コンセントを取付枠に取着した状態での、正面図（ａ）、右側面図（ｂ）および背面図（ｃ）である。
【図２】取付枠に取着された従来のコンセントの正面図（ａ）、右側面図（ｂ）および背面図（ｃ）である。
【図３】別の従来のコンセントを示す分解斜視図である。
【符号の説明】
１Ａ  コンセント
２Ａ  ボディ
２１１，２１２，２１３  電線挿入口
２２０，２２１，２２３  電線挿入口
３  カバー
３１１，３１２，３１３  接触子挿入口
３２０，３２１，３２３  接触子挿入口
【図１】
2004259560.tif 000003
【図２】
2004259560.tif 000004
【図３】
2004259560.tif 000005